(57)【要約】【課題】バッグ本体内に作動流体を供給する１つの流体供給機構を複数の加圧バッグ装置に使用することができる加圧バッグ装置を提供すること。【解決手段】加圧バッグ装置１は、可撓性を有するとともに袋状をなし、作動流体が供給されて膨らむバッグ本体２１および流動物が充填された袋状容器Ｐを保持する受け部材３を有し、袋状容器Ｐを押圧する加圧バッグ２と、バッグ本体２１の内部に連通するチューブ４１と、チューブ４１のバッグ本体２１と反対側の端部に設けられたコネクタ５と、チューブ４１に設けられ、バッグ本体２１とコネクタ５との間の作動流体の流路を開閉する三方活栓４５とを備えている。コネクタ５は、バッグ本体２１内に作動流体を供給する電動式のポンプ７側のコネクタ６に着脱自在に接続されるよう構成されている。なお、ポンプ７の流体供給口には、チューブ４２の一端部が接続され、その他端部に、コネクタ６が設けられている。【選択図】図１
0003179627.tif 000002
【実用新案登録請求の範囲】
【請求項１】
可撓性を有するとともに袋状をなし、作動流体が供給されて膨らむバッグ本体と、該バッグ本体に設けられ、流動物が充填された袋状容器を保持する保持部とを有し、前記バッグ本体が膨らむことにより、前記袋状容器を加圧する加圧バッグと、
前記バッグ本体の内部に連通するチューブと、
前記チューブの前記バッグ本体と反対側の端部に設けられた第１のコネクタと、
前記チューブに設けられ、前記バッグ本体と前記第１のコネクタとの間の前記作動流体の流路を開閉する流路開閉部材とを備え、
前記第１のコネクタは、前記バッグ本体内に作動流体を供給する流体供給機構の流体供給口に接続された第２のコネクタに着脱自在に接続されるよう構成されており、
前記バッグ本体内に作動流体を供給する際、前記第１のコネクタと前記第２のコネクタとが接続されることを特徴とする加圧バッグ装置。
【請求項２】
前記保持部は、前記バッグ本体に対向して設けられ、膨らんだ前記バッグ本体の圧力を受ける受け部材を有し、
前記袋状容器を前記バッグ本体と前記受け部材との間に装着した状態で、前記バッグ本体を膨らますことによって、前記バッグ本体と前記受け部材との協働により、前記袋状容器を加圧して、前記袋状容器内の前記流動物を押し出すよう構成されている請求項１に記載の加圧バッグ装置。
【請求項３】
前記受け部材は、網状をなしている請求項２に記載の加圧バッグ装置。
【請求項４】
前記流路開閉部材は、前記チューブの途中に設けられた多方活栓である請求項１ないし３のいずれかに記載の加圧バッグ装置。
【請求項５】
前記第１のコネクタおよび前記第２のコネクタは、前記第１のコネクタと前記第２のコネクタとの一方を他方に向って相対的に移動させることにより接続され、前記第１のコネクタと前記第２のコネクタとが接続された状態で、前記一方が前記他方から離脱することを阻止する離脱阻止機構と、該離脱阻止機構により前記離脱が阻止された状態を解除する操作部とを有する請求項１ないし４のいずれかに記載の加圧バッグ装置。
【請求項６】
前記バッグ本体内の圧力を検出する圧力検出部を有する請求項１ないし５のいずれかに記載の加圧バッグ装置。
【請求項７】
前記バッグ本体内の圧力を所定値以下に保持する圧力保持機構を有する請求項１ないし６のいずれかに記載の加圧バッグ装置。
【請求項８】
前記流体供給機構は、電動式のポンプである請求項１ないし７のいずれかに記載の加圧バッグ装置。
【考案の詳細な説明】
【技術分野】
【０００１】
本考案は、加圧バッグ装置に関するものである。
【背景技術】
【０００２】
食道や口腔の外傷、疾患、または手術等により食物を口腔から胃に送り込むことが困難になった患者に栄養剤、流動食又は薬剤等の流動物を投与するＰＥＧ（Percutaneous Endoscopic Gastrostomy）療法が行われている。
【０００３】
ＰＥＧ療法に用いる流動物は、一般的に、口部を有する袋状容器に充填されている。この流動物の粘度が低い場合は、胃内の流動物が食道に逆流したり、流動物の水分が体内で吸収しきれずに下痢したりする等の問題が生じる。そのため、ＰＥＧ療法に用いる流動物は、半固形化したり、トロミ剤や増粘剤を加えたりすることで粘度を高めている。
【０００４】
医療現場では、例えば、袋状容器を手で押して圧迫することにより、開栓された口部を通じて流動物を押し出していた。しかし、袋状容器を手で押して流動物を押し出す場合は、袋状容器全体を一度に圧迫できないため、流動物のほぼ全量を押し出すことが難しく、袋状容器内に流動物が残ってしまうことがある。
【０００５】
また、流動物を胃に送り込む場合は、流動物を略一定の速度で袋状容器から押し出すことが好ましい。しかし、袋状容器を直接手で押す方法は、流動物の押し出し速度にバラツキが生じ易いため、不向きである。
【０００６】
さらに、袋状容器を直接手で押す方法は、袋状容器に常に押圧力を加えていなければならないため、手間がかかると共に作業時間が長くなる。
【０００７】
そこで、特許文献１には、バッグを用いた押し出し装置が開示されている。特許文献１に開示された押し出し装置は、可撓性を有する袋状のバッグと、バッグの離間した２辺に取り付けられた受け部材と、バッグにチューブを介して接続され、バッグに空気を供給するエア供給部材とを備えている。
【０００８】
この押し出し装置を用いて袋状容器から流動物を押し出す場合は、まず、バッグと受け部材との間に、流動物が充填された袋状容器を挿入する。次に、エア供給部材でバッグに空気を供給してバッグを膨らませる。これにより、膨らんだバッグと受け部材との間に配された袋状容器が押圧されて、袋状容器内の流動物が押し出される。
【０００９】
しかしながら、特許文献１に記載された押し出し装置では、エア供給部材は、バッグを膨らませた後は、そのバッグに対しては不要となるが、エア供給部材とバッグとが接続されているので、エア供給部材を他に使用することができないという欠点がある。このため、エア供給部材として、例えば、高価な電動式のポンプを使用する場合は、非常に不経済である。
【先行技術文献】
【特許文献】
【００１０】
【特許文献１】実用新案登録第３１７１９５１号公報
【考案の概要】
【考案が解決しようとする課題】
【００１１】
本考案の目的は、バッグ本体内に作動流体を供給する１つの流体供給機構を複数の加圧バッグ装置に使用することができる加圧バッグ装置を提供することにある。
【課題を解決するための手段】
【００１２】
このような目的は、本考案により達成される。
【考案の効果】
【００１３】
本考案によれば、加圧バッグ装置の第１のコネクタは、流体供給機構側の第２のコネクタに着脱自在に接続されるので、１つの流体供給機構を複数の加圧バッグ装置に使用することができる。
【００１４】
また、流体供給機構により加圧バッグ装置のバッグ本体内に作動流体を供給した後、その流体供給機構を加圧バッグ装置から取り外すことにより、流体供給機構が邪魔になることを防止できる。
【図面の簡単な説明】
【００１５】
【図１】本考案の加圧バッグ装置の実施形態を示す平面図である。
【図２】図１に示す加圧バッグ装置を示す平面図である。
【図３】図１に示す加圧バッグ装置のコネクタと、ポンプ側のコネクタとを示す斜視図である。
【図４】図１に示す加圧バッグ装置のコネクタと、ポンプ側のコネクタとの主要部を示す断面図である。
【図５】図１に示す加圧バッグ装置のコネクタと、ポンプ側のコネクタとの主要部を示す断面図である。
【図６】図１に示す加圧バッグ装置のコネクタと、ポンプ側のコネクタとの主要部を示す断面図である。
【図７】図１に示す加圧バッグ装置の作用を説明するための図である。
【考案を実施するための形態】
【００１６】
以下、本考案の加圧バッグ装置を添付図面に示す好適な実施形態に基づいて詳細に説明する。
【００１７】
図１は、本考案の加圧バッグ装置の実施形態を示す平面図である。図２は、図１に示す加圧バッグ装置を示す平面図である。図３は、図１に示す加圧バッグ装置のコネクタと、ポンプ側のコネクタとを示す斜視図である。図４、図５および図６は、それぞれ、図１に示す加圧バッグ装置のコネクタと、ポンプ側のコネクタとの主要部を示す断面図である。
図７は、図１に示す加圧バッグ装置の作用を説明するための図である。
【００１８】
なお、以下では、加圧バッグ装置１のコネクタ５については、図１〜図３中の左側を「先端」、右側を「基端（後端）」、上側を「上」、下側を「下」とし、ポンプ７側のコネクタ６については、図１〜図３中の左側を「基端（後端）」、右側を「先端」、上側を「上」、下側を「下」として説明を行う。
【００１９】
これらの図に示す加圧バッグ装置１は、袋状容器Ｐを押圧（加圧）して、袋状容器Ｐに充填された流動物を押し出す装置である。
【００２０】
［袋状容器］
袋状容器Ｐは、容器本体１０１と、この容器本体１０１に取り付けられた口部１０２とを備えている。容器本体１０１は、可撓性を有する２枚のシートを重ね合わせて、互いの周辺部をシールすることで略長方形の袋状に形成されている。したがって、容器本体１０１は、押圧（加圧）されると、その内容積が減少する。
【００２１】
容器本体１０１（袋状容器Ｐ）内には、半固形栄養剤や流動食等の流動物が充填されている。この流動物の粘度は、例えば、１０００〜５００００Ｃｐ（１〜５０Ｐａ／ｓ）とされる。このような粘度の流動物は、ＰＥＧ療法等により患者に投与した際に、体内での逆流を好適に防止することができる。
【００２２】
口部１０２は、容器本体１０１の一方の短辺に設けられており、容器本体１０１内に連通している。袋状容器Ｐ内に充填された流動物は、口部１０２から排出される。口部１０２には、例えば、胃や腸等の体内に挿入されるチューブ１０３が連結される。
【００２３】
［加圧バッグ装置］
加圧バッグ装置１は、可撓性を有するとともに袋状をなし、作動流体が供給されて膨らむバッグ本体２１を有し、袋状容器Ｐを押圧（加圧）する加圧バッグ２と、バッグ本体２１に接続され、バッグ本体２１の内部に連通するチューブ４１と、チューブ４１のバッグ本体２１と反対側の端部に設けられたコネクタ（第１のコネクタ）５と、チューブ４１に設けられ、バッグ本体２１とコネクタ５との間の作動流体の流路を開閉する流路開閉部材である三方活栓（多方活栓）４５とを備えている。なお、流路開閉部材は、本実施形態では、三方活栓であるが、本考案では、これに限定されず、この他、例えば、クレンメ等が挙げられる。
【００２４】
コネクタ５は、バッグ本体２１内に作動流体を供給する流体供給機構である電動式のポンプ７側のコネクタ（第２のコネクタ）６に着脱自在に接続されるよう構成されている。なお、ポンプ７の流体供給口には、チューブ４２の一端部が接続され、その他端部に、前記コネクタ６が設けられている。コネクタ５とコネクタ６とが接続することにより、そのコネクタ５および６を介して、チューブ４１とチューブ４２とが連通する。これにより、バッグ本体２１の内部とポンプ７の流体供給口とは、チューブ４１、４２、コネクタ５、６を介して連通する。
【００２５】
なお、流体供給機構は、本実施形態では、電動式のポンプであるが、本考案では、これに限定されず、この他、例えば、手動式のポンプや、シリンジのようなものが挙げられる。
【００２６】
また、本実施形態では、作動流体として、空気を用い、ポンプ７は、その空気をバッグ本体２１に供給する装置である。
【００２７】
なお、本実施形態では、加圧バッグのバッグ本体を膨らますための作動流体として空気を用いたが、バッグ本体を膨らますための作動流体は、これに限定されず、例えば、空気以外の気体や液体等を用いることができる。
【００２８】
加圧バッグ２は、可撓性を有するとともに袋状をなすバッグ本体２１と、バッグ本体２１に設けられ、袋状容器Ｐを保持する保持部である受け部材３と、バッグ本体２１内の圧力を検出する圧力検出部２２とを有している。
【００２９】
バッグ本体２１は、その平面視形状が略長方形の袋状に形成されている。このバッグ本体２１の平面視の大きさは、袋状容器Ｐの平面視での大きさよりも大きい。このバッグ本体２１の一方の短辺には、取手部２１ａが形成されている。
【００３０】
バッグ本体２１の構成材料としては、可撓性を有しているものであれば、特に限定されず、各種樹脂材料や各種ゴム材料などを用いることができる。可撓性を有するバッグ本体２１は、空気を供給された時に、受け部材３の形状や袋状容器Ｐの凹凸（例えば口部による凹凸）に追従して変形し、袋状容器Ｐ全体を押圧することができる。
【００３１】
袋状容器Ｐを押圧する観点から、バッグ本体２１は、フィルム状の部材で構成されているのが好ましい。このフィルム状の部材としては、例えば、ポリ塩化ビニルフィルム、ポリエステルフィルム、ナイロンとポリ塩化ビニルとのラミネートフィルム、ナイロンとポリエステルのラミネートフィルム等が好適に使用される。
【００３２】
また、バッグ本体２１は、最大６０ｋＰａ以上の内圧に耐え得るように構成されていることが好ましい。これにより、袋状容器Ｐから流動物を押し出すために必要な圧力でバッグ本体２１を膨らますことができる。
【００３３】
なお、バッグ本体２１の形状は、平面視形状が略長方形の袋状のものに限定されず、例えば、平面視形状が正方形などの多角形、円形、楕円形の袋状であってもよい。また、バッグ本体２１は、２枚のフィルムを互いの周縁部で溶着して形成してもよいし、ブロー成形などにより一体的に形成してもよい。
【００３４】
圧力検出部２２は、バッグ本体２１の他方（取手部２１ａとは反対側）の短辺に取り付けられている。圧力検出部２２とバッグ本体２１との接合方法としては、例えば、接着、溶着等が挙げられる。
【００３５】
また、バッグ本体２１の取手部２１ａと反対側の短辺には、チューブ４１のコネクタ５と反対側の端部が接続されている。このチューブ４１の流路は、バッグ本体２１内に連通している。また、チューブ４１と圧力検出部２２とは、所定の間隔を隔てて並設されている。チューブ４１とバッグ本体２１との接続方法としては、特に限定されないが、例えば、接着、溶着等が挙げられる。
【００３６】
圧力検出部２２としては、例えば、圧力センサ等を適用することができる。使用者は、圧力検出部２２によってバッグ本体２１内の圧力を認識することができる。そのため、使用者は、バッグ本体２１内の圧力を袋状容器Ｐに充填された流動物の粘度に応じて調節することができる。
【００３７】
また、バッグ本体２１には、圧力検出部２２に代えて、バッグ本体２１内の圧力を所定値以下に保持する圧力保持機構を設けてもよい。この圧力保持機構としては、例えば、一定圧力を超えた場合に開口するチェックバルブ（一方向弁）を有する圧力ゲージ等を適用することができる。なお、圧力保持機構の図示は、省略する。
【００３８】
バッグ本体２１に圧力保持機構を設けた場合は、バッグ本体２１に過剰な圧力が加わった場合に、圧力保持機構により、バッグ本体２１内の圧力が所定値以下になるように自動的にバッグ本体２１内の空気が排出され、圧力調節がなされる。これにより、バッグ本体２１を保護することができる。なお、前記所定値としては、特に限定されないが、一例としては例えば、５５±５Ｐａ程度に設定される。
【００３９】
なお、バッグ本体２１に、前記圧力検出部２２と圧力保持機構の両方を設けてもよいことは、言うまでもない。
【００４０】
受け部材３は、バッグ本体２１の一方の平面部に、その平面部に対向して取り付けられており、膨らんだバッグ本体２１の圧力を受ける。この受け部材３は、袋状容器Ｐよりも大きい略長方形のシート状をなしている。受け部材３の２つの長辺部は、バッグ本体２１の２つの長辺部に沿うように配置されており、バッグ本体２１の一方の平面部に接合されている。受け部材３とバッグ本体２１との接合方法は、特に限定されないが、例えば、接着、融着、縫合などが挙げられる。
【００４１】
バッグ本体２１と受け部材３との間には、袋状容器Ｐを収容する容器収容部３１が形成される。この加圧バッグ装置１では、袋状容器Ｐを容器収容部３１に収容し、すなわち、袋状容器Ｐがバッグ本体２１と受け部材３との間に装着された状態で、バッグ本体２１を膨らますことによって、バッグ本体２１と受け部材３との協働により、袋状容器Ｐを押圧して、袋状容器Ｐ内の流動物を押し出す。
【００４２】
この容器収容部３１は、バッグ本体２１の２つの短辺側に開口されている。したがって、袋状容器Ｐは、容器収容部３１の両方の開口から容器収容部３１に対して出し入れ可能である。なお、バッグ本体２１の他方の短辺には、圧力検出部２２が設けられているとともにチューブ４１が接続されているため、袋状容器Ｐは、容器収容部３１におけるバッグ本体２１の一方の短辺側の開口から出し入れするとよい。
【００４３】
バッグ本体２１を膨らませる前の容器収容部３１は、袋状容器Ｐの大きさよりも十分に大きい。これにより、容器収容部３１に対する袋状容器Ｐの出し入れを容易に行うことができる。
【００４４】
また、受け部材３の構成材料としては、十分な強度を有し、受け部材３とバッグ本体２１との協働により袋状容器Ｐを押圧可能なものであれば、特に限定されないが、実質的に伸縮しない材料、例えば、ポリエステル、ナイロンなどを採用することが好ましい。これにより、受け部材３とバッグ本体２１との協働による押圧力を効率よく袋状容器Ｐに伝えることができる。
【００４５】
なお、受け部材３は、網状をなしている。受け部材３を網状に形成することにより、外部から袋状容器Ｐを容易に視認することができる。なお、本実施形態では、受け部材３は、網状をなしているが、これに限定されるものではない。
【００４６】
チューブ４１、４２は、それぞれ、ポンプ７から送られる空気の圧力に対し耐圧性を有すると共に、ある程度の可撓性を有するものが好ましい。チューブ４１、４２の構成材料としては、それぞれ、例えば、ポリ塩化ビニル、ポリプロピレンなどが好適である。
【００４７】
次に、三方活栓４５について説明する。
三方活栓４５は、チューブ４１の途中に設けられ、チューブ４１内の流路を開閉するものであり、具体的には、送気可能状態と、圧力維持状態と、脱気状態のいずれかの状態に切り替えることができる。
【００４８】
送気可能状態にすると、三方活栓４５がチューブ４１内の流路を開いて、ポンプ７の流体供給口がチューブ４２、コネクタ６、５、チューブ４１を介してバッグ本体２１の内部に連通する。これにより、ポンプ７からバッグ本体２１内に空気を送ることが可能になる。
【００４９】
また、圧力維持状態にすると、三方活栓４５がチューブ４１内の流路を閉じて、ポンプ７とバッグ本体２１の連通を遮断する。これにより、バッグ本体２１内の圧力（気圧）が維持される。
【００５０】
また、脱気状態にすると、三方活栓４５がチューブ４１のポンプ７側の流路を閉じると共にチューブ４１のバッグ本体２１側の流路が脱気口４５ａに連通する。これにより、バッグ本体２１内の空気がチューブ４１および脱気口４５ａを通って外部に排出される。なお、バッグ本体２１内の圧力が高くなりすぎた場合は、脱気状態とし、バッグ本体２１内の空気を排出し、バッグ本体２１内の圧力を低下させることができる。
【００５１】
次に、コネクタ５および６について説明する。
図３〜図６に示すように、コネクタ５は、雄コネクタであり、コネクタ本体５１と、そのコネクタ本体５１に設置された封止部材５２とを有している。
【００５２】
コネクタ本体５１の全体形状は、筒状をなしており、その内腔部は、空気が通過する流路として機能する。コネクタ本体５１の先端部の外周部には、その周方向に沿って溝５１１が形成されている。この溝５１１は、コネクタ本体５１の全周に亘って形成されている。
【００５３】
封止部材５２は、環状をなしており、コネクタ本体５１の溝５１１内に挿入されている。コネクタ５とコネクタ６とが接続された状態では、封止部材５２の外周部と、コネクタ６の後述するコネクタ本体６１の内周面とが密着し、これにより、コネクタ５の外周部とコネクタ６の内周部との間が封止される。
【００５４】
封止部材５２の構成材料としては、特に限定されず、各種ゴム材料や、各種熱可塑性エラストマー、あるいはそれらの混合物等の弾性材料が挙げられる。
【００５５】
また、コネクタ本体５１の前記溝５１１よりも基端側の外周部には、その周方向に沿って溝（係合部）５１２が形成されている。この溝５１２は、コネクタ本体５１の全周に亘って形成されている。また、コネクタ本体５１の前記溝５１２よりも基端側の外周部には、フランジ５１３が形成されている。
【００５６】
なお、コネクタ本体５１の構成材料としては、特に限定されず、各種樹脂材料等が挙げられる。
【００５７】
コネクタ６は、コネクタ５が挿入される雌コネクタであり、コネクタ本体６１と、そのコネクタ本体６１に設置されたロック部材６２、ピン６３、コイルバネ６４および６５とを有している。
【００５８】
コネクタ本体６１の全体形状は、筒状をなしており、その内腔部は、空気が通過する流路として機能する。
【００５９】
ロック部材６２は、板状をなすロック部６２１と、ロック部の上部に形成され、板状をなす操作部６２２とを有している。操作部６２２は、ロック部６２１の上部から基端方向に突出している。
【００６０】
ロック部６２１の中央部には、コネクタ５が挿入される孔６２３が形成されている。この孔６２３は、円を上下方向に若干伸ばした形状または楕円形状をなしている。また、孔６２３の下側には、その孔６２３に連通し、孔６２３よりも小さい孔６２４が形成されている。また、孔６２４の下側には、その孔６２４に連通し、孔６２４よりも小さい孔６２５が形成されている。
【００６１】
このロック部材６２は、コネクタ本体６１の先端部に、上下方向（コネクタ本体６１の軸線に対して垂直な方向）に移動可能、すなわち、前記コネクタ５の溝５１２に係合するロック位置（第１の位置）と、溝５１２に係合しない非ロック位置（第２の位置）とに移動可能に設置されている。なお、ロック部材６２と、コネクタ本体５１の溝５１２とで、コネクタ５とコネクタ６との一方が他方から離脱することを阻止する離脱阻止機構が構成される。
【００６２】
また、コイルバネ６４は、コネクタ本体６１の先端部、すなわち、ロック部材６２の操作部６２２の下側に、収縮した状態で設置されており、操作部６２２を上方向に付勢している。
【００６３】
また、ピン６３は、先端部に位置する頭部６３１と、頭部６３１の基端側に位置する本体部６３３と、頭部６３１と本体部６３３との間に位置する小径部６３２とで構成されている。小径部６３２の外径は、頭部６３１および本体部６３３よりも小さく設定されている。
【００６４】
また、頭部６３１および本体部６３３の外径は、それぞれ、ロック部材６２の孔６２５の幅よりも大きく設定されている。なお、頭部６３１の外径と本体部６３３の外径とは、同一でもよく、また、異なっていてもよいが、図示の構成では、同一に設置されている。
【００６５】
このピン６３は、コネクタ本体６１の先端部に、そのコネクタ本体６１の軸方向に移動可能に設置されている。また、ピン６３は、図示しない離脱阻止機構により、コネクタ本体６１から離脱しないようになっている。
【００６６】
また、コイルバネ６５は、コネクタ本体６１の先端部、すなわち、ピン６３の基端側に、収縮した状態で設置されており、ピン６３を先端方向に付勢している。
【００６７】
なお、コネクタ本体６１の構成材料としては、特に限定されず、例えば、各種樹脂材料等が挙げられる。また、ロック部材６２およびピン６３の構成材料としては、それぞれ、特に限定されず、例えば、各種樹脂材料、各種金属材料等が挙げられる。
【００６８】
次に、コネクタ５とコネクタ６とを接続する際の動作について説明する。
まず、図４に示すように、コネクタ６を初期状態にする。この初期状態では、ピン６３がコイルバネ６５により先端方向に付勢されて、先端側に位置している。
【００６９】
また、ロック部材６２は、下側、すなわち、非ロック位置（第２の位置）に位置している。この場合、ピン６３の本体部６３３に、ロック部６２１の孔６２４の内面が当接し、これにより、ロック部材６２の上方への移動が阻止されている。また、ロック部材６２は、コイルバネ６４により上方向に付勢されており、これにより、下方への移動が阻止されている。
【００７０】
次に、コネクタ５とコネクタ６との一方を他方に向って相対的に移動させ、コネクタ６にコネクタ５を挿入すると、その際、コネクタ５のフランジ５１３がピン６３を基端方向に押圧する。これにより、ピン６３は、コイルバネ６５の付勢力に抗して基端方向に移動する。なお、コネクタ６にコネクタ５を挿入する際は、コネクタ５のみを移動させてもよく、また、コネクタ６のみを移動させてもよく、また、コネクタ５および６を移動させてもよい。
【００７１】
そして、ピン６３の本体部６３３が孔６２４よりも基端側に移動すると、ロック部材６２は、コイルバネ６４の付勢力により、上方に移動する。そして、ピン６３の小径部６３２に、ロック部６２１の孔６２５の内面が当接し、これにより、ロック部材６２の上方への移動が阻止される。すなわち、ロック部材６２は、ロック位置（第１の位置）に停止する。また、ロック部材６２は、コイルバネ６４により上方向に付勢されており、これにより、下方への移動が阻止される。
【００７２】
ロック部材６２がロック位置に位置すると、コネクタ５の溝５１２内に、ロック部６２１の孔６２３に臨む縁部が挿入され、これにより、溝５１２内の壁部と、ロック部６２１の孔６２３に臨む縁部とが係合し、これによって、コネクタ５の基端方向への移動が阻止され、コネクタ６からの離脱が阻止される。
【００７３】
また、ピン６３の本体部６３３がロック部６２１の孔６２５に臨む縁部に当接し、これにより、ピン６３の先端方向への移動が阻止される。
このようにして、コネクタ５とコネクタ６とが接続される。
【００７４】
コネクタ５とコネクタ６との接続を解除、すなわち、コネクタ６からコネクタ５を取り外すには、まず、コネクタ６の操作部６２２を下方に押圧する。
【００７５】
これにより、ロック部材６２が下方に移動し、ロック部６２１の孔６２３に臨む縁部が、コネクタ５の溝５１２内から下方に移動し、これにより、溝５１２内の壁部と、ロック部６２１の孔６２３に臨む縁部との係合が解除され、これによって、コネクタ５の基端方向への移動が可能になる。すなわち、コネクタ５のコネクタ６からの離脱が阻止された状態を解除される。この状態で、コネクタ６からコネクタ５を引き抜く。
【００７６】
また、ロック部６２１の孔６２４の下端がピン６３の本体部６３３よりも下側に移動すると、ピン６３は、コイルバネ６５の付勢力により、先端側、すなわち、第１の位置に移動する。
【００７７】
また、ロック部材６２は、前述したように、下側、すなわち、非ロック位置に移動し、ピン６３の本体部６３３に、ロック部６２１の孔６２４の内面が当接し、これにより、ロック部材６２の上方への移動が阻止される。また、ロック部材６２は、コイルバネ６４により上方向に付勢されており、これにより、下方への移動が阻止される。
【００７８】
このように、前記コネクタ５および６を用いることにより、コネクタ５とコネクタ６との一方を他方に向って相対的に移動させることで、コネクタ５とコネクタ６とを容易に接続することができる。
【００７９】
また、コネクタ５とコネクタ６とが接続された状態で、コネクタ本体５１の溝５１２内の壁部と、ロック部６２１の孔６２３に臨む縁部とが係合することにより、不本意にコネクタ６からコネクタ５が離脱してしまうことを防止することができる。
【００８０】
また、操作部６２２を操作することで、コネクタ５とコネクタ６との一方からの他方の離脱が阻止された状態が解除され、コネクタ５とコネクタ６との一方を他方から離間する方向に相対的に移動させることで、コネクタ６からコネクタ５を容易に取り外すことができる。
【００８１】
次に、加圧バッグ装置１の使用方法の一例について説明する。
まず、三方活栓４５を操作して脱気状態にする。そして、バッグ本体２１内に空気が収納されている場合は、その空気を外部に排出する。これにより、バッグ本体２１と受け部材３との間に形成された容器収容部３１が広がった状態になる。
【００８２】
次に、図２および図７（ａ）に示すように、加圧バッグ２の容器収容部３１に、流動物が充填された袋状容器Ｐを挿入する。このとき、容器収容部３１が広がった状態であるため、袋状容器Ｐを容器収容部３１に簡単に挿入することができる。なお、袋状容器Ｐの口部１０２には、予め、チューブ１０３を連結しておいてもよい。
【００８３】
容器収容部３１は、バッグ本体２１の両方の短辺側に開口されている。したがって、袋状容器Ｐは、容器収容部３１のいずれの開口からも挿入できる。なお、バッグ本体２１の圧力検出部２２が設けられた短辺側の開口よりも、取手部２１ａが設けられた短辺側の開口の方が干渉する部品（圧力検出部２２やチューブ４１）が無いため、袋状容器Ｐを挿入し易い。
【００８４】
次に、前述したように、コネクタ５とコネクタ６とを接続する。
次に、三方活栓４５を操作して送気状態にする。そして、流体供給機構を用いて、加圧バッグ２のバッグ本体２１内に空気を供給する。本実施形態では、電動式のポンプ７を作動させて、加圧バッグ２のバッグ本体２１内に空気を供給する（図７（ｂ）参照）。この場合、手動式のポンプ等を使用する場合に比べて、使用者の負担を軽減することができると共に、作業時間の短縮を図ることができる。
【００８５】
バッグ本体２１内に空気が供給されると、バッグ本体２１が膨らんでバッグ本体２１内の圧力（気圧）が上昇する。その後、圧力検出部２２の検出結果を確認して、バッグ本体２１内の圧力が設定値に達したら、三方活栓４５を操作して圧力維持状態にする。
【００８６】
なお、バッグ本体２１内の圧力の設定値は、袋状容器Ｐ内に充填された流動物の粘度に応じて適宜決定される。例えば、流動物が半固形栄養剤であった場合は、バッグ本体２１内の圧力の設定値を３０ｋＰａ〜６０ｋＰａに設定することが好ましい。
【００８７】
次に、前述したように、コネクタ５をコネクタ６から取り外す。そして、別の加圧バッグ装置１について、前記と同様の操作を行う。これにより、１つのポンプ７で、複数の加圧バッグ装置１の加圧バッグ２のバッグ本体２１内に空気を供給することができる。
【００８８】
前記空気が供給されて膨らんだバッグ本体２１は、袋状容器Ｐを受け部材３側に押圧する。これにより、袋状容器Ｐ内の流動物が口部１０２から押し出される。そして、バッグ本体２１が膨らむことで容器収容部３１が徐々に小さくなり、袋状容器Ｐは、受け部材３とバッグ本体２１との間で平らなシート状に変形する。これにより、袋状容器Ｐ内の流動物の略全量が口部１０２から押し出される（図７（ｃ）参照）。
【００８９】
以上説明したように、この加圧バッグ装置１によれば、加圧バッグ装置１のコネクタ５は、ポンプ７側のコネクタ６に着脱自在に接続されるので、１つのポンプ７を複数の加圧バッグ装置１に使用することができる。
【００９０】
また、ポンプ７により加圧バッグ装置１のバッグ本体２１内に空気を供給した後、そのポンプ７を加圧バッグ装置１から取り外すことにより、ポンプ７が邪魔になることを防止できる。
【００９１】
以上、本考案の加圧バッグ装置を、図示の実施形態に基づいて説明したが、本考案はこれに限定されるものではなく、各部の構成は、同様の機能を有する任意の構成のものに置換することができる。また、本考案に、他の任意の構成物が付加されていてもよい。
【００９２】
また、前記実施形態では保持部として、シート状をなす受け部材を用いたが、保持部は、袋状容器を加圧することができるものであれば、前述したものに限定されない。例えば、保持部を板状の部材で構成したり、また、バッグ本体と同様の構成とすることもできる。
【００９３】
また、バッグ本体を略筒状に形成し、作動流体が供給されることで筒孔を狭くするように膨らむバック本体を用いてもよい。この場合は、バック本体の筒孔内に袋状容器を配置し、バック本体が膨らむことにより袋状容器が加圧される。なお、バック本体の筒孔の内面が保持部を構成する。
【００９４】
また、前記実施形態では、保持部とバッグ本体とで形成される容器収容部が２つの開口を有しているが、これに限らず、その開口の数は、例えば、１つでもよい。
【００９５】
また、前記実施形態では、第１のコネクタが雄コネクタであり、第２のコネクタが雌コネクタであるが、本考案では、これに限定されず、例えば、第１のコネクタが雌コネクタであり、第２のコネクタが雄コネクタであってもよい。
【００９６】
また、本考案では、第１のコネクタおよび第２のコネクタの構造は、前記実施形態のものには限定されず、第１のコネクタが第２のコネクタに着脱自在に接続される構成のものであればよい。他の例としては、例えば、ルアーロックコネクタ等が挙げられる。
【符号の説明】
【００９７】
１            加圧バッグ装置
２            加圧バッグ
２１          バッグ本体
２１ａ        取手部
２２          圧力検出部
３            受け部材
３１          容器収容部
４１、４２    チューブ
４５          三方活栓
４５ａ        脱気口
５            コネクタ
５１          コネクタ本体
５１１、５１２  溝
５１３        フランジ
５２          封止部材
６            コネクタ
６１          コネクタ本体
６２          ロック部材
６２１        ロック部
６２２        操作部
６２３、６２４、６２５  孔
６３          ピン
６３１        頭部
６３２        小径部
６３３        本体部
６４、６５    コイルバネ
７            ポンプ
１０１        容器本体
１０２        口部
１０３        チューブ
Ｐ            袋状容器
【図１】
0003179627.tif 000003
【図２】
0003179627.tif 000004
【図３】
0003179627.tif 000005
【図４】
0003179627.tif 000006
【図５】
0003179627.tif 000007
【図６】
0003179627.tif 000008
【図７】
0003179627.tif 000009